(57)【要約】【課題】入力者による描画入力中においても描画画像の視認性を高くできるようにする。【解決手段】情報表示装置１０は、入力表示装置２０、及び制御部を備える。入力表示装置２０は、情報を描画入力自在及び表示自在に構成される。制御部は、入力表示装置２０の画面を複数の領域に分割し、複数の領域のうち少なくとも１領域ずつを、描画入力自在な入力用領域７１及び入力用領域７１において描画入力された描画画像を表示自在な表示用領域７２に設定し、描画画像を表示用領域７２に表示させる。【選択図】図１
2015052953.tif 000002
【特許請求の範囲】
【請求項１】
情報を描画入力自在及び表示自在に構成された入力表示装置と、
前記入力表示装置の画面を複数の領域に分割し、前記複数の領域のうち少なくとも１領域ずつを、描画入力自在な入力用領域及び前記入力用領域において描画入力された描画画像を表示自在な表示用領域に設定し、前記描画画像を前記表示用領域に表示させる制御部と、を備える情報表示装置。
【請求項２】
前記制御部は、入力者による第１入力情報に基づいて前記画面の分割数を設定する、請求項１に記載の情報表示装置。
【請求項３】
前記制御部は、入力者による第２入力情報に基づいて、前記複数の領域について、前記入力用領域及び前記表示用領域を含む領域種別を設定する、請求項１又は２に記載の情報表示装置。
【請求項４】
前記制御部は、前記入力用領域において手描き入力された描画画像を整形する、請求項１から３のいずれかに記載の情報表示装置。
【請求項５】
前記入力用領域において描画入力された描画画像を記憶自在な記憶部をさらに備え、
前記制御部は、前記複数の領域のうち少なくとも１領域をサムネイル表示用領域に設定し、前記記憶部に記憶された１以上の描画画像を前記サムネイル表示用領域にサムネイル表示させる、請求項１から４のいずれかに記載の情報表示装置。
【発明の詳細な説明】
【技術分野】
【０００１】
この発明は、会議、プレゼンテーション、及び授業等の集会において、入力者が描画した文字や図形等の画像を閲覧者に視認させるために用いられる情報表示装置に関する。
【背景技術】
【０００２】
会議、プレゼンテーション、及び授業等の集会においては、入力者が文字や図形等の画像を示しながら説明することで、閲覧者へ情報が伝わりやすくなることが多いので、電子黒板等の情報表示装置が用いられることがある。情報表示装置には、入力者が描画入力した画像を閲覧者が視認しやすいことが求められる。
【０００３】
そこで、描画画像を表示する描画画像表示領域と参照画像を表示する参照画像表示領域とに画面を分割し、描画画像表示領域及び参照画像表示領域のそれぞれの画面上における位置及び大きさを任意に設定自在に構成された情報表示装置が提案されている（例えば、特許文献１参照。）。この従来の情報表示装置では、描画画像表示領域及び参照画像表示領域の２つの領域で描画画像が表示され、これらの領域に表示された画像ページのページ捲りがいずれかのクライアント装置においてなされると、他のクライアント装置に表示されている画像ページも協調してページ捲りされる。
【先行技術文献】
【特許文献】
【０００４】
【特許文献１】特開２００６−２３８２５１号公報
【発明の概要】
【発明が解決しようとする課題】
【０００５】
しかし、従来の情報表示装置では、描画画像表示領域において描画された画像は描画画像表示領域に表示されるのであり、他の領域に表示されることはない。このため、入力者による描画画像表示領域への画像の描画入力中は、入力者の体が描画画像を遮ることとなり、閲覧者は描画画像を視認しにくい虞がある。
【０００６】
この発明の目的は、入力者による描画入力中においても描画画像の視認性を高くできる情報表示装置を提供することにある。
【課題を解決するための手段】
【０００７】
この発明の情報表示装置は、入力表示装置、及び制御部を備える。入力表示装置は、情報を描画入力自在及び表示自在に構成される。制御部は、入力表示装置の画面を複数の領域に分割し、複数の領域のうち少なくとも１領域ずつを、描画入力自在な入力用領域及び入力用領域において描画入力された描画画像を表示自在な表示用領域に設定し、描画画像を表示用領域に表示させる。
【０００８】
この構成では、入力者は入力用領域において描画画像を描画入力し、この描画画像が表示用領域に表示される。入力者が描画入力する領域と集会における閲覧者が描画画像を視認する領域とが異なるので、描画画像が入力者の体によって遮られることが抑制される。
【０００９】
上述の構成において、制御部は、入力者による第１入力情報に基づいて画面の分割数を設定するように構成されることが好ましい。
【００１０】
この構成では、入力者が画面の分割数を所望数に設定することができる。例えば、入力用領域及び表示用領域をそれぞれ複数個ずつ設けることができる。このため、複数人の入力者が同時に描画入力する場合に複数人の入力者のそれぞれに入力用領域及び表示用領域を割り当てることができる。
【００１１】
また、制御部は、入力者による第２入力情報に基づいて、複数の領域について、入力用領域及び表示用領域を含む領域種別を設定するように構成されることが好ましい。
【００１２】
この構成では、入力用領域及び表示用領域を複数の領域のうちいずれの領域に設定するかを入力者が任意に設定することができる。このため、入力者が入力しやすい領域を入力用領域に設定し、閲覧者が視認しやすい領域を表示用領域に設定することができる。
【００１３】
さらに、制御部は、入力用領域において手描き入力された描画画像を整形するように構成されることが好ましい。
【００１４】
この構成では、入力者が手描き入力した描画画像を整形することができる。例えば、手描き文字を明朝体やブロック体といった予め設定されたタイプの活字に整形することができる。このため、閲覧者が描画画像をより視認しやすくなる。
【００１５】
また、入力用領域において描画入力された描画画像を記憶自在な記憶部をさらに備え、制御部は、複数の領域のうち少なくとも１領域をサムネイル表示用領域に設定し、記憶部に記憶された１以上の描画画像をサムネイル表示用領域にサムネイル表示させるように構成することができる。
【００１６】
この構成では、入力用領域において描画入力された描画画像を記憶させてサムネイル表示させることで、表示用領域から描画画像を消去した場合でも、サムネイル表示された画像を選択することで、過去に入力した描画画像を容易に再表示させることができる。
【発明の効果】
【００１７】
この発明によれば、入力者による描画入力中においても描画画像の視認性を高くすることができる。
【図面の簡単な説明】
【００１８】
【図１】この発明の第１実施形態に係る情報表示装置の概略の外観図である。
【図２】情報表示装置の概略構成を示すブロック図である。
【図３】領域設定モードにおける制御部の処理手順を示すフローチャートである。
【図４】リアルタイム表示設定された状態の動作モードにおける制御部の処理手順を示すフローチャートである。
【図５】所望タイミング表示設定された状態の動作モードにおける制御部の処理手順を示すフローチャートである。
【図６】整形設定モードにおける制御部の処理手順を示すフローチャートである。
【発明を実施するための形態】
【００１９】
図１及び図２に示すように、この発明の第１実施形態に係る情報表示装置１０は、入力表示装置２０、制御部３０、ハードディスク記憶装置４０、ＡＣアダプタ５０、電源コントローラ５１、及び入出力部６０を備えている。一例として、情報表示装置１０は、床面に立てて配置される。
【００２０】
入力表示装置２０は、情報を表示する表示装置２１、表示装置２１を制御する表示コントローラ２２、タッチパネル２３、タッチパネル２３を制御するタッチパネルコントローラ２４を有する。表示装置の一例として、液晶表示装置が挙げられる。タッチパネル２３は表示装置２１を透視自在に表示装置２１の前側に重ねて配置されている。入力表示装置２０は、文字、記号、図形、及び絵等の情報を描画入力自在及び表示自在に構成されている。入力表示装置２０の一例として、液晶タッチパネルが挙げられる。
【００２１】
タッチパネル２３において入力された情報は、制御部３０に含まれるＲＡＭ（Random Access Memory）に記憶され、表示装置２１に表示される。また、タッチパネル２３において入力された情報は、必要に応じてハードディスク記憶装置４０にも記憶され、後に必要に応じて表示装置２１に表示される。
【００２２】
ＡＣアダプタ５０は、商用電源に接続され、電力の供給を受ける。
【００２３】
入出力部６０は、ＬＡＮ（LocalArea Network）やＵＳＢ（Universal Serial Bus）回線を介して、外部機器との間で情報の入出力処理を行う。
【００２４】
制御部３０は、入力表示装置２０やハードディスク記憶装置４０等、情報表示装置１０の各部機器の全体を統括的に制御する。
【００２５】
図３に、領域設定モードにおける制御部３０の処理手順の一例を示す。
【００２６】
一例として、入力表示装置２０は、画面の額縁部にホームキーを備え、ホームキーが押下されると、領域設定キー、テンキー、表示キー、保存キー等、状況に応じた予め設定された各種のキーが、画面の所定箇所にポップアップ表示される。
【００２７】
制御部３０は、領域設定キーがタッチ操作されると（Ｓ１）、領域設定モードに移行し、テンキーをポップアップ表示し、入力表示装置２０の画面を何個の領域に分割するかの分割数の入力を待機する（Ｓ２）。制御部３０は、Ｓ２における入力情報に基づいて、入力された数の領域に、入力表示装置２０の画面を分割する（Ｓ３）。
【００２８】
制御部３０は、分割数として１が入力された場合、領域の設定をする必要がないので領域設定モードから抜け出る。制御部３０は、分割数が２以上である場合（Ｓ４）、分割された領域のうちの１個を設定対象として選択し、設定対象領域を例えばハイライト表示し、この領域について、入力用領域、表示用領域、及びサムネイル表示用領域を含む領域種別の入力を待機する（Ｓ５）。ユーザは、設定対象領域を、入力用領域、表示用領域、サムネイル表示用領域のいずれに設定するかを入力する。
【００２９】
制御部３０は、入力者による入力情報に基づいて、複数の領域のうち少なくとも１領域を入力用領域に設定し、少なくとも１領域を表示用領域に設定する。
【００３０】
制御部３０は、設定対象領域を表示用領域にする旨の入力がなされると（Ｓ６）、この領域を表示用領域に設定する（Ｓ７）。
【００３１】
また、制御部３０は、設定対象になっている表示領域を、入力と同時に表示するリアルタイム表示にするか、入力された後に表示キーがタッチ操作された時点で表示する所望タイミング表示にするかの入力を待機する（Ｓ８）。制御部３０は、リアルタイム表示にする旨の入力がなされるとリアルタイム表示に設定し（Ｓ９)、所望タイミング表示にする旨の入力がなされると所望タイミング表示に設定する。
【００３２】
さらに、制御部３０は、設定対象になっている表示領域にはいずれの入力用領域で描画入力された描画画像を表示させるかという入力用領域との対応関係の入力を待機し（Ｓ１０）、設定対象になっている表示用領域と選択された入力用領域との対応関係を設定する（Ｓ１１）。
【００３３】
制御部３０は、Ｓ３において分割された領域の全ての領域について領域種別が設定されたか否かを判定し（Ｓ１２）、領域種別が未設定の領域がある場合は、未設定の領域のうちの１個の領域を設定対象にするように、領域選択を切り換え（Ｓ１３）、Ｓ６の処理へ戻る。
【００３４】
制御部３０は、設定対象になっている領域を、表示領域ではなく、入力用領域にする旨の入力がなされると（Ｓ１４）、設定対象領域を入力用領域に設定し（Ｓ１５）、Ｓ１２の処理へ進む。
【００３５】
制御部３０は、設定対象領域が、表示用領域ではなく、入力用領域でもなく、サムネイル表示用領域にする旨の入力がなされると（Ｓ１６）、設定対象領域をサムネイル表示用領域に設定し（Ｓ１７）、Ｓ１２の処理へ進む。このようにして、制御部３０は、全ての領域について領域種別の設定が終了するまで、領域種別が未設定の領域の間で設定対象領域を切り換えつつ、Ｓ６からＳ１７までの処理を繰り返す。
【００３６】
これによって、入力者による入力情報に基づいて、複数の領域のそれぞれについて、入力用領域、表示用領域、及びサムネイル表示用領域を含む領域種別が設定される。
【００３７】
なお、Ｓ２における分割数の入力は、予め設定されている複数の互いに異なる分割タイプの中からいずれかを選択するように構成することができる。分割タイプとして、分割数が互いに異なるタイプや、入力用領域、表示用領域、及びサムネイル表示用領域のうち少なくとも１個の箇所が互いに異なるタイプが挙げられる。また、ユーザが入力表示装置２０の画面にタッチしつつ線を描くように移動させることで、ユーザがタッチしつつ移動させた部分を境界にして画面を複数の領域に分割するように構成することもできる。
【００３８】
さらに、図１に示すように、入力用領域７１は、画面の下側の領域に設定されることが好ましい。入力者が入力しやすくなるからである。表示用領域７２は、画面の上側の領域に設定されることが好ましい。入力者による描画入力中においても、表示用領域に表示された描画画像は入力者の体によって遮られることが少なく、表示用領域に表示された描画画像を閲覧者が視認しやすくなるからである。
【００３９】
一例として、サムネイル表示用領域７３は、画面の左右いずれか一方側端部に、サムネイル画像が縦方向に並ぶように設定される。
【００４０】
図４に、画面が３個の領域に分割され、１個の入力用領域７１、１個の表示用領域７２、及び１個のサムネイル表示用領域７３が設定され、表示用領域７２がリアルタイム表示に設定された状態の動作モードにおける制御部３０の処理手順の一例を示す。
【００４１】
制御部３０は、入力用領域７１への描画入力とサムネイル表示領域７３にサムネイル表示されているサムネイル画像の選択とのいずれかがなされるのを待機し、入力用領域７１への描画入力があると（Ｓ２１）、入力された描画画像を表示用領域７２にリアルタイム表示させる（Ｓ２２）。
【００４２】
制御部３０は、入力用領域７１及び表示用領域７２の表示を初期化即ち消去するための更新キーがタッチ操作されると（Ｓ２３）、表示用領域７２に表示されている描画画像を、ハードディスク記憶装置４０に保存するとともに（Ｓ２４）、サムネイル表示用領域７３にサムネイル表示させる（Ｓ２５）。
【００４３】
制御部３０は、サムネイル表示領域７３にサムネイル表示されているサムネイル画像が選択されると（Ｓ２６）、選択されたサムネイル画像に対応する画像データをハードディスク記憶装置４０から読み出して表示用領域７２に表示させる（Ｓ２７）。
【００４４】
図５に、画面が３個の領域に分割され、１個の入力用領域７１、１個の表示用領域７２、及び１個のサムネイル表示用領域７３が設定され、表示用領域７２が所望タイミング表示に設定された状態の動作モードにおける制御部の処理手順の一例を示す。
【００４５】
制御部３０は、入力用領域７１への描画入力とサムネイル表示領域７３にサムネイル表示されているサムネイル画像の選択とのいずれかがなされるのを待機する。制御部３０は、入力用領域７１への描画入力があっても（Ｓ３１）、すぐには表示用領域７２へ表示させず、表示キーがタッチ操作された時点で（Ｓ３２）、描画画像を表示用領域７２に表示させる（Ｓ３３）。
【００４６】
制御部３０は、保存キーがタッチ操作されると（Ｓ３４）、表示用領域７２に表示されている描画画像を、ハードディスク記憶装置４０に保存するとともに（Ｓ３５）、サムネイル表示用領域７３にサムネイル表示させる（Ｓ３６）。
【００４７】
制御部３０は、サムネイル表示領域７３にサムネイル表示されているサムネイル画像が選択されると（Ｓ３７）、選択されたサムネイル画像に対応する画像データをハードディスク記憶装置４０から読み出して表示用領域７２に表示させる（Ｓ３８）。
【００４８】
情報表示装置１０によれば、入力者が描画入力する領域７１と閲覧者が描画画像を視認する領域７２とが異なるので、描画画像が入力者の体によって遮られることが抑制される。
【００４９】
また、入力者が画面の分割数を所望数に設定することができる。例えば、入力用領域７１及び表示用領域７２をそれぞれ複数個ずつ設けることができる。このため、複数人の入力者が同時に描画入力する場合に複数人の入力者のそれぞれに入力用領域７１及び表示用領域７２を割り当てることができる。よって、表示用領域の表示の全消去やサムネイル画像の表示用領域７２への読み出し等が入力者それぞれの所望のタイミングで行うことができ、操作性が向上する。
【００５０】
さらに、入力用領域７１、表示用領域７２、及びサムネイル表示用領域７３を複数の領域のうちいずれの領域に設定するかを入力者が任意に設定することができる。このため、入力者が入力しやすい領域を入力用領域７１に設定し、閲覧者が視認しやすい領域を表示用領域７２に設定することができる。
【００５１】
また、入力用領域７１において描画入力された描画画像を記憶させてサムネイル表示させることで、表示用領域７２から描画画像を消去した場合でも、サムネイル表示された画像を選択することで、過去に入力した描画画像を容易に再表示させることができる。
【００５２】
第２実施形態に係る情報表示装置１０は、整形設定モードを備える点を除いて、第１実施形態に係る情報表示装置１０と同様に構成される。第２実施形態に係る情報表示装置１０では、入力用領域７１において手描き入力された描画画像を整形するように設定することができる。
【００５３】
図６は、整形設定モードにおける制御部３０の処理手順の一例を示す。
【００５４】
制御部３０は、整形設定キーがタッチ操作されると（Ｓ４１）、描画入力された文字画像を文字として認識するＯＣＲモードをオンするか否かの操作を受け付け、ＯＣＲモードをオンする操作がなされると（Ｓ４２）、ＯＣＲモードをオンに設定し（Ｓ４３）、オフにする操作がなされるとＯＣＲモードをオフに設定する（Ｓ４４）。
【００５５】
制御部３０は、描画画像を強調表示する強調モードをオンするか否かの操作を受け付け、強調モードをオンする操作がなされると（Ｓ４５）、強調モードをオンに設定し（Ｓ４６）、オフにする操作がなされると強調モードをオフに設定する（Ｓ４７）。
【００５６】
制御部３０は、ユーザ登録設定キーがタッチ操作された場合は（Ｓ４８）、ユーザによる入力情報に基づいてユーザ登録設定を行う（Ｓ４９）。例えば、ユーザ登録の項目として、文字のフォント、文字サイズが挙げられる。
【００５７】
制御部３０は、全ての表示用領域について整形設定がなされたか否かを判定し（Ｓ５０）、整形設定が未設定の領域がある場合は、未設定の領域のうちの１個の領域を設定対象にするように、領域選択を切り換え（Ｓ５１）、Ｓ４２の処理へ戻る。制御部３０は、全ての表示用領域７２について整形設定がなされるまでＳ４２からＳ５１までの処理を繰り返す。
【００５８】
ＯＣＲモードがオンされた表示用領域７２では、対応する入力用領域７１において手書きで描画入力された文字画像が文字として認識されて、表示用領域７２に表示される。この際、Ｓ４８においてフォントが設定された場合は設定されたフォントの活字で表示用領域７２に表示され、Ｓ４８においてフォントが設定されなかった場合は予め設定されているフォントの活字で表示用領域７２に表示される。また、強調モードがオンに設定されている場合は、強調表示される。
【００５９】
このように、入力者が手描き入力した描画画像を整形することができる。例えば、手描き文字を明朝体やブロック体といった予め設定されたフォントの活字に整形することができる。このため、閲覧者が描画画像をより視認しやすくなる。
【００６０】
第３実施形態に係る情報表示装置１０は、図４に示すリアルタイム表示に設定された状態の動作モードのＳ２３の処理において、図５におけるＳ３４の処理即ち入力者によって保存キーがタッチ操作されたか否かの判定処理がなされ、保存キーがタッチ操作された場合に描画画像がハードディスクに保存される点を除いて、第１実施形態に係る情報表示装置１０と同様に構成される。
【００６１】
第４実施形態に係る情報表示装置１０は、図５に示す所望タイミング表示に設定された状態の動作モードのＳ３４の処理において、図４におけるＳ２３の処理即ち表示用領域７２を更新するか否かの判定処理がなされ、表示用領域７２を更新する場合に描画画像がハードディスクに保存される点を除いて、第１実施形態に係る情報表示装置１０と同様に構成される。
【００６２】
なお、サムネイル表示用領域７３は必ずしも設定されることを要せず、サムネイル表示用領域７３を設定しないように構成することもできる。
【００６３】
画面の分割数は、３分割に限定されず、２分割、及び４個以上に分割することもできる。但し、複数に分割された場合、少なくとも１個の入力用領域７１及び少なくとも１個の表示用領域７２が設定される。
【００６４】
入力表示装置２０は、立てて配置されるように構成されることに限定されない。例えば、入力表示装置２０をタブレット型にし、入力用領域７１と表示用領域７２とを上下に並べて配置し、入力用領域７１の上側と表示用領域７２の上側とを対向させるように入力用領域７１と表示用領域７２とを互いに上下反対向きに配置することができる。この構成によれば、入力者と閲覧者とが向かい合っている場合に、両者が向かい合った状態のままで入力表示装置２０を両者の間に配置することで、入力者が描画入力した描画画像を、入力用領域７１とは上下反対向きにして表示用領域７２に表示させることができるので、閲覧者にとって見やすい方向に描画画像を表示させることができる。
【００６５】
上述の実施形態のそれぞれの技術的特徴を互いに組み合わせることで、新たな実施形態を構成することが考えられる。
【００６６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００６７】
１０  情報表示装置
２０  入力表示装置
３０  制御部
４０  ハードディスク記憶装置
７１  入力用領域
７２  表示用領域
７３  サムネイル表示用領域
【図１】
2015052953.tif 000003
【図２】
2015052953.tif 000004
【図３】
2015052953.tif 000005
【図４】
2015052953.tif 000006
【図５】
2015052953.tif 000007
【図６】
2015052953.tif 000008